(57)【要約】【課題】  蓋と箱本体との係合が確実で、蓋の抜け外れの起きるおそれを防止することができ、片手だけを使って簡単にかつ所望の程度まで開けることができる箱を提供する。【解決手段】  箱本体（３１）と蓋（３２）とが備わっており、蓋（３２）は箱本体（３１）の開放状遠位端（３５０）にスライド可能に取り付けられているとともに、蓋（３２）には、一対の切れ込み（３２２）とこれらの切れ込み（３２２）どうしの間における弾性アーム（３２３）とが形成されている。弾性アーム（３２３）にはフック（３２５）のある自由端（３２９）が備わっており、そのフック（３２５）は、箱本体（３１）の開放状遠位端（３５０）からのフック（３２５）の離脱が片手だけを使って達成することができるように、箱本体（３１）の開放状遠位端（３５０）に弾性的に係合することができる。【選択図】  図４
2005145501.tif 000002
【特許請求の範囲】
【請求項１】
底壁（３０）と周壁（３５）とからなる開放状の箱本体（３１）であって、周壁（３５）は、前記底壁（３０）に対して横断方向へ前記底壁（３０）から突出しているとともに遠位端（３５０）を有しており、この遠位端（３５０）は、前記底壁（３０）から遠位にあって箱開口（３５１）の境界をなしており、前記周壁（３５）は、長手方向に延びている２つの対向状第１側壁部分（３１１）と、この第１側壁部分（３１１）に対して横断しかつ相互連結している第２側壁部分（３１４）とからなっている箱本体（３１）、
蓋（３２）であって、この蓋（３２）が前記箱開口（３５１）を覆う閉鎖位置とこの蓋（３２）が前記第２側壁部分３１４から離れて前記箱開口（３５１）があらわになる開放位置との間で長手方向にスライドすることができるように、前記周壁（３５）の前記遠位端（３５０）にスライド可能に取り付けられ、この蓋（３２）は、長手方向に延びている２つの対向状第１側縁（３２７）とこれらの第１側縁（３２７）に相互連結している第２側縁（３２８）とを有し、この蓋（３２）には、前記第１側縁（３２７）どうしの間に配されて前記第２側縁（３２８）から長手方向に延び、それらどうしの間に弾性アーム（３２３）を形成する一対の切れ込み（３２２）が形成され、この弾性アーム（３２３）は、基端（３２０）と自由端（３２９）とを有し、その自由端（３２９）は、基端（３２０）に対向しているとともに、自由端（３２９）が前記箱本体（３１）の前記周壁（３５）における前記第２側壁部分（３１４）へ向かって移動しかつそこから離れて移動することができるように前記基端（３２０）に対して弾性的に曲がることができ、この蓋（３２）はさらにフック（３２５）を有し、このフック（３２５）は、この蓋（３２）がその閉鎖位置にあるときにスナップ係合によって前記第２側壁部分（３１４）へ弾性的に係合するように、前記弾性アーム（３２３）の前記自由端（３２９）から前記箱本体（３１）の前記底壁（３０）へ向かう方向へ突出している蓋（３２）、および
前記蓋（３２）が前記箱本体（３１）の前記周壁（３５）の前記遠位端（３５０）に沿って長手方向へスライド移動することができるように、前記蓋（３２）の前記第１側縁（３２７）と前記箱本体（３１）の前記周壁（３５）の前記第１側壁部分（３１１）とに形成されているレールユニット
を備えてなる箱。
【請求項２】
前記レールユニットは、前記蓋（３２）の前記第１側縁（３２７）にそれぞれ形成された一対のレール（３３）を含み、それぞれのレール（３３）によって、長手方向へ延びるレール溝（３３０）が画定され、前記レールユニットは、さらに一対のレールガイド（３４）を含み、これらのレールガイド（３４）は、前記箱本体（３１）の前記周壁（３５）の前記第１側壁部分（３１１）にそれぞれ形成されているとともに、前記レール溝（３３０）の中にそれぞれかつスライド可能に嵌められている請求項１に記載の箱。
【請求項３】
前記蓋（３２）は、第３側縁（３２１）と一対のストッパ（３２４）とをさらに有しており、この第３側縁（３２１）は第２側縁（３２８）に長手方向で対向しており、これらのストッパ（３２４）は、前記蓋３２がその閉鎖位置にあるときに前記蓋（３２）をさらに閉じる動きを阻止するために前記レールガイド（３４）にそれぞれ当接するように、前記箱本体（３１）の前記底壁（３０）へ向かって突出しているとともに、前記蓋（３２）の前記第３側縁（３２１）に隣接し、かつ、前記蓋（３２）の前記第１側縁（３２７）にそれぞれ隣接して配置されている請求項２に記載の箱。
【発明の詳細な説明】
【技術分野】
【０００１】
この発明は、箱に関するものであり、さらに詳しくは、スライドできる蓋付きのプラスチック箱に関するものである。
【背景技術】
【０００２】
図１には、例えば釘、ねじ、その他の小さい物品を収容するための従来の箱１が示されている。この箱１は箱本体１１と蓋１２とからなり、その箱本体１１には、折り曲げられて一対のレール溝１１３を形成する２つの対向側部が備わっており、その蓋１２には、蓋１２がその開放位置と閉鎖位置との間でスライド移動できるようにレール溝１１３の中にスライド可能にかつそれぞれ入れられる２つの対向状第１側縁１２１が備わっている。このような箱１は、蓋１２と箱本体１１との係合が比較的ゆるみがちであるという点と、蓋１２の好ましくない抜け外れがかなり頻繁に起きるおそれがあるという点で、具合が悪いものである。
【０００３】
図２には、従来の別の箱２が示されており、この箱２は箱本体２１と蓋２２とからなり、蓋２２は箱本体２１の遠位端の側縁に枢着されている。箱本体２１と蓋２２との遠位端には、蓋２２を閉じる際に蓋２２をロックするために、かみ合い部材２２１が形成されている。この箱２によれば、前記の箱１に生じるような前記ゆるみ問題を取り除くことができる。しかしながら、両方の箱１，２は片手だけを使って開くことが難しい。さらにまた、図２に示す従来の箱２を所望の程度まで開くことは調節が難しい。
【発明の開示】
【発明が解決しようとする課題】
【０００４】
したがって、この発明の目的は、従来技術の前記短所を克服することのできる箱を提供することである。
【課題を解決するための手段】
【０００５】
この発明によれば、開放状の箱本体と蓋とレールユニットとを備えてなる箱であって、箱本体は底壁と周壁とからなり、周壁は、底壁に対して横断方向へ底壁から突出しているとともに遠位端を有しており、この遠位端は、底壁から遠位にあって箱開口の境界をなしており、周壁は、長手方向に延びている２つの対向状第１側壁部分と、この第１側壁部分に対して横断しかつ相互連結している第２側壁部分とからなっており、蓋は、この蓋が箱開口を覆う閉鎖位置とこの蓋が第２側壁部分から離れて箱開口があらわになる開放位置との間で長手方向にスライドすることができるように、周壁の遠位端にスライド可能に取り付けられ、蓋は、長手方向に延びている２つの対向状第１側縁とこれらの第１側縁に相互連結している第２側縁とを有し、蓋には、第１側縁どうしの間に配されて第２側縁から長手方向に延び、それらどうしの間に弾性アームを形成する一対の切れ込みが形成され、この弾性アームは、基端と自由端とを有し、その自由端は、基端に対向しているとともに、自由端が箱本体の周壁における第２側壁部分へ向かって移動しかつそこから離れて移動することができるように基端に対して弾性的に曲がることができ、蓋はさらにフックを有し、このフックは、蓋がその閉鎖位置にあるときにスナップ係合によって第２側壁部分へ弾性的に係合するように、弾性アームの自由端から箱本体の底壁へ向かう方向へ突出しており、前記レールユニットは、蓋が箱本体の周壁の遠位端に沿って長手方向へスライド移動することができるように、蓋の第１側縁と箱本体の周壁の第１側壁部分とに形成されている箱が提供される。
【発明の効果】
【０００６】
この発明によれば、従来技術の前記短所を克服することのできる箱がもたらされる。
【発明を実施するための最良の形態】
【０００７】
図面にはこの発明における１つの実施形態が示されている。
【０００８】
図３〜図５には、この発明を具体化している箱が示されている。プラスチック材料から作られているのが好ましい箱３は、開放状の箱本体３１と蓋３２とレールユニットとを備えてなり、箱本体３１は底壁３０と周壁３５とからなり、周壁３５は、底壁３０に対して横断方向へ底壁３０から突出しているとともに遠位端３５０を有しており、この遠位端３５０は、底壁３０から遠位にあって箱開口３５１の境界をなしており、周壁３５は、長手方向に延びている２つの対向状第１側壁部分３１１と、この第１側壁部分３１１に対して横断しかつ相互連結している第２側壁部分３１４とからなっており、蓋３２は、この蓋３２が箱開口３５１を覆う閉鎖位置（図５および図８を参照）とこの蓋３２が第２側壁部分３１４から離れて箱開口３５１があらわになる開放位置（図６および図７を参照）との間で長手方向にスライドすることができるように、周壁３５の遠位端３５０にスライド可能に取り付けられ、蓋３２は、長手方向に延びている２つの対向状第１側縁３２７とこれらの第１側縁３２７に相互連結している第２側縁３２８とを有し、蓋３２には、第１側縁３２７どうしの間に配されて第２側縁３２８から長手方向に延び、それらどうしの間に弾性アーム３２３を形成する一対の切れ込み３２２が形成され、この弾性アーム３２３は、基端３２０と自由端３２９とを有し、その自由端３２９は、基端３２０に対向しているとともに、自由端３２９が箱本体３１の周壁３５における第２側壁部分３１４へ向かって移動しかつそこから離れて移動することができるように基端３２０に対して弾性的に曲がることができ、蓋３２はさらにフック３２５を有し、このフック３２５は、蓋３２がその閉鎖位置にあるときにスナップ係合によって第２側壁部分３１４へ弾性的に係合するように、弾性アーム３２３の自由端３２９から箱本体３１の底壁３０へ向かう方向へ突出しており、前記レールユニットは、蓋３２が箱本体３１の周壁３５の遠位端３５０に沿って長手方向へスライド移動することができるように、蓋３２の第１側縁３２７と箱本体３１の周壁３５の第１側壁部分３１１とに形成されている。
【０００９】
このレールユニットには、蓋３２の第１側縁３２７にそれぞれ形成された一対のレール３３が含まれている。それぞれのレール３３によって、長手方向へ延びるレール溝３３０が画定されている。このレールユニットには、さらに一対のレールガイド３４が含まれており、これらのレールガイド３４は、箱本体３１の周壁３５の第１側壁部分３１１にそれぞれ形成されているとともに、レール溝３３０の中にそれぞれかつスライド可能に嵌められている。
【００１０】
蓋３２には、第３側縁３２１と一対のストッパ３２４とがさらに備わっており、第３側縁３２１は第２側縁３２８に長手方向で対向しており、これらのストッパ３２４は、蓋３２がその閉鎖位置にあるときに蓋３２をさらに閉じる動きを阻止するためにレールガイド３４にそれぞれ当接するように、箱本体３１の底壁３０へ向かって突出しているとともに、蓋３２の第３側縁３２１に隣接し、かつ、蓋３２の第１側縁３２７にそれぞれ隣接して配置されている。
【００１１】
図７および図８によれば、蓋３２は、片手だけを使ってその閉鎖位置とその開放位置との間で移動させることができる。図７に示されたように、箱本体３１の周壁３５における第２側壁部分３１４からのフック３２５の離脱は、指を使って弾性アーム３２３を周壁３５における第２側壁部分３１４から引き離すことにより、容易に達成することができる。
【００１２】
フック３２５には、湾曲した案内面３２６（図４を参照）が備わっており、この案内面３２６は、蓋３２がその開放位置（図７を参照）からその閉鎖位置（図８を参照）まで移動するときにフック３２５と第２側壁部分３１４との間でスナップ係合ができるように、箱本体３１の周壁３５における第２側壁部分３１４の端に面している。
【００１３】
箱本体３１の周壁３５における第２側壁部分３１４からは吊り下げ用タブ３６（図４を参照）が突出しており、このタブ３６には、この箱３を壁に吊り下げることができるように、孔３１２が形成されている。
【００１４】
弾性アーム３２３が含まれているので、この箱３は片手だけを使って開けることができ、それによって、前記従来技術に生じたような短所が取り除かれる。
【００１５】
以上のように説明された発明については、この発明の精神から逸脱することなく、さまざまな改造および変型を行うことができるということは明らかである。
【産業上の利用可能性】
【００１６】
この発明は、例えば釘、ねじ、その他の小さい物品を収容しておき、片手だけを使って蓋を開閉する箱に用いられる。
【図面の簡単な説明】
【００１７】
【図１】図１は従来の箱の分解斜視図である。
【図２】図２は従来の別の箱の斜視図である。
【図３】図３はこの発明を具体化している箱の斜視図である。
【図４】図４は図３の箱の分解斜視図である。
【図５】図５は閉鎖位置に示された蓋の備わった図３の箱の断面図である。
【図６】図６は開放位置に示された蓋の備わった図３の箱の断面図である。
【図７】図７は片手だけを使って蓋を開ける方法を示すための模式図である。
【図８】図８は片手だけを使って蓋を開ける方法を示すための模式図である。
【符号の説明】
【００１８】
３  箱
３０  底壁
３１  箱本体
３２  蓋
３３  レール
３４  レールガイド
３５  周壁
３６  タブ
３１１  第１側壁部分
３１２  孔
３１４  第２側壁部分
３２０  基端
３２１  第３側縁
３２２  切れ込み
３２３  弾性アーム
３２４  ストッパ
３２５  フック
３２６  案内面
３２７  第１側縁
３２８  第２側縁
３２９  自由端
３３０  レール溝
３５０  遠位端
３５１  箱開口
【図１】
2005145501.tif 000003
【図２】
2005145501.tif 000004
【図３】
2005145501.tif 000005
【図４】
2005145501.tif 000006
【図５】
2005145501.tif 000007
【図６】
2005145501.tif 000008
【図７】
2005145501.tif 000009
【図８】
2005145501.tif 000010
【外国語明細書】
2005145501000001.pdf